(57)【特許請求の範囲】
【請求項１】
ビームフォーミング情報の交換方法であって、
第１ネットワーク機器が第２ネットワーク機器から送信される第１ビームフォーミング情報を受信し、前記第１ネットワーク機器が端末の現在位置するサービングセルに対応するネットワーク機器であり、前記第２ネットワーク機器が前記第１ネットワーク機器に隣接するネットワーク機器であり、前記第１ビームフォーミング情報が前記第２ネットワーク機器のビーム測定関連情報であることと、
前記第１ネットワーク機器が前記第１ビームフォーミング情報に基づいて前記端末を設定することと、を含み、
前記第１ビームフォーミング情報は第１測定設定情報を含み、前記第１測定設定情報は測定頻度、測定時間、及びビームフォーミングリソース割り当てパラメータを含む、ことを特徴とする、前記ビームフォーミング情報の交換方法。
【請求項２】
前記第１ネットワーク機器が前記第１ビームフォーミング情報に基づいて前記端末を設定することは、
前記第１ネットワーク機器が前記第１測定設定情報に基づいて、ビーム測定を行うように前記端末を設定することを含むことを特徴とする
請求項１に記載の方法。
【請求項３】
前記方法は、更に、
前記第１ネットワーク機器が前記第２ネットワーク機器に前記第１測定設定情報を要求するためのパラメータ要求情報を前記第２ネットワーク機器に送信することを含むことを特徴とする
請求項２に記載の方法。
【請求項４】
前記第１測定設定情報はビームの識別子、ビームの属するビーム群の識別子、ビームに対応するセルの識別子、ビームに対応するアクセスポイントの識別子、ビームに対応する基地局の識別子、測定周期、測定モード、及びビームに対応する基準信号情報のうちの少なくとも１つを、さらに含むことを特徴とする
請求項２又は３に記載の方法。
【請求項５】
前記第１測定設定情報がネットワーク機器設定シグナリング又はハンドオーバー設定シグナリングによって搬送され、前記ネットワーク機器設定シグナリングがネットワーク機器のインターフェース生成シグナリング又はネットワーク機器の設定更新シグナリングであることを特徴とする
請求項２〜４のいずれか１項に記載の方法。
【請求項６】
前記第１ビームフォーミング情報は第１測定結果を含み、前記第１測定結果が、前記第２ネットワーク機器が前記端末によって送信されるアップリンク信号に対してビーム測定した結果であり、前記第１ネットワーク機器が前記第１ビームフォーミング情報に基づいて前記端末を設定することは、
前記第１ネットワーク機器が前記第１測定結果に基づいて前記端末のためにセルをハンドオーバーすることを含むことを特徴とする
請求項１に記載の方法。
【請求項７】
前記方法は、更に、
前記第１ネットワーク機器が第２測定設定情報を前記端末に送信し、前記第２測定設定情報が前記端末が前記第２測定設定情報に基づいてビームにおいてアップリンク信号を送信することを示すために用いられることと、
前記第１ネットワーク機器が前記アップリンク信号に基づいてビーム測定を行って、第２測定結果を取得することと、を含み、
前記第１ネットワーク機器が前記第１測定結果に基づいて前記端末のためにセルをハンドオーバーすることは、
前記第１ネットワーク機器が前記第１測定結果及び前記第２測定結果に基づいて前記端末のためにセルをハンドオーバーすることを含むことを特徴とする
請求項６に記載の方法。
【請求項８】
前記方法は、更に、
前記第１ネットワーク機器が測定設定提案情報を前記第２ネットワーク機器に送信し、前記測定設定提案情報が、ビームにおいてアップリンク信号を測定するために使用される測定設定情報に対する前記第２ネットワーク機器との意見交換のために用いられることと、
前記第１ネットワーク機器が前記第２ネットワーク機器から送信される前記測定設定提案情報のフィードバック情報を受信することと、を含むことを特徴とする
請求項６に記載の方法。
【請求項９】
前記第１測定結果がハンドオーバー設定シグナリングによって搬送され、前記ハンドオーバー設定シグナリングがハンドオーバー要求シグナリング又はハンドオーバー確認シグナリングであることを特徴とする
請求項６〜８のいずれか１項に記載の方法。
【請求項１０】
ネットワーク機器であって、前記ネットワーク機器が第１ネットワーク機器であり、
第２ネットワーク機器から送信される第１ビームフォーミング情報を受信することに用いられる受信モジュールであって、前記第１ネットワーク機器が端末の現在位置するサービングセルに対応するネットワーク機器であり、前記第２ネットワーク機器が前記第１ネットワーク機器に隣接するネットワーク機器であり、前記第１ビームフォーミング情報が前記第２ネットワーク機器のビーム測定関連情報である、受信モジュールと、
前記受信モジュールの受信した前記第１ビームフォーミング情報に基づいて前記端末を設定するための処理モジュールと、を含み、
前記第１ビームフォーミング情報は第１測定設定情報を含み、前記第１測定設定情報は測定頻度、測定時間、及びビームフォーミングリソース割り当てパラメータを含む、ことを特徴とする、前記ネットワーク機器。
【請求項１１】
前記処理モジュールは、具体的に、
前記第１測定設定情報に基づいてビーム測定を行うように前記端末を設定することに用いられることを特徴とする
請求項１０に記載のネットワーク機器。
【請求項１２】
前記ネットワーク機器は、更に、前記第２ネットワーク機器に前記第１測定設定情報を要求するためのパラメータ要求情報を前記第２ネットワーク機器に送信するための送信モジュールを含むことを特徴とする
請求項１１に記載のネットワーク機器。
【請求項１３】
前記第１測定設定情報はビームの識別子、ビームの属するビーム群の識別子、ビームに対応するセルの識別子、ビームに対応するアクセスポイントの識別子、ビームに対応する基地局の識別子、測定周期、測定モード、及びビームに対応する基準信号情報のうちの少なくとも１つを、さらに含むことを特徴とする
請求項１１又は１２に記載のネットワーク機器。
【請求項１４】
前記第１ビームフォーミング情報は第１測定結果を含み、前記第１測定結果が、前記第２ネットワーク機器が前記端末によって送信されるアップリンク信号に対してビーム測定した結果であり、前記処理モジュールは、具体的に、
前記第１測定結果に基づいて前記端末のためにセルをハンドオーバーすることに用いられることを特徴とする
請求項１０に記載のネットワーク機器。
【請求項１５】
前記ネットワーク機器は、更に、第２測定設定情報を前記端末に送信するための送信モジュールを含み、前記第２測定設定情報が前記端末が前記第２測定設定情報に基づいてビームにおいてアップリンク信号を送信することを示すために用いられ、
前記処理モジュールは、更に、前記アップリンク信号に基づいてビーム測定を行って、第２測定結果を取得することに用いられ、
前記処理モジュールが前記第１測定結果に基づいて前記端末のためにセルをハンドオーバーすることは、
前記第１測定結果及び前記第２測定結果に基づいて前記端末のためにセルをハンドオーバーすることを含むことを特徴とする
請求項１４に記載のネットワーク機器。
【請求項１６】
前記ネットワーク機器は、更に、測定設定提案情報を前記第２ネットワーク機器に送信するための送信モジュールを含み、前記測定設定提案情報が、ビームにおいてアップリンク信号を測定するために使用される測定設定情報に対する前記第２ネットワーク機器との意見交換のために用いられ、
前記受信モジュールは、更に、前記第２ネットワーク機器から送信される前記測定設定提案情報のフィードバック情報を受信することに用いられることを特徴とする
請求項１４に記載のネットワーク機器。
【発明の詳細な説明】
【技術分野】
【０００１】
本願は通信分野に関し、特にビームフォーミング情報の交換方法及びネットワーク機器に関する。
【背景技術】
【０００２】
無線通信技術の発展に伴って、無線通信システムのカバレッジ範囲及び伝送のために使用される無線周波数帯の帯域幅への要求がますます高まり、無線通信システムはビームフォーミング技術でネットワークのカバレッジ能力を確保することができる。
【０００３】
ビームフォーミング技術はアンテナアレイに基づく信号前処理技術であって、アンテナアレイにおける各エレメントの重み係数を調整することにより指向性ビームを生成し、それにより顕著なアレイ利得を取得する。ビームフォーミング技術において、端末がセルにアクセスした後、該セルの属するネットワーク機器が端末のために該端末に適用するデータ伝送用ビームを割り当てる。端末が移動するとき、セル及び／又はネットワーク機器のハンドオーバーに関わる可能性があり、このような場合、現在サービングセル周辺のネットワーク機器に対応するビームを改めて測定する必要があり、このため、ハンドオーバー遅延が大きい。
【発明の概要】
【発明が解決しようとする課題】
【０００４】
本願は移動中の端末を予め設定することができ、ハンドオーバー効率を向上させることができるビームフォーミング情報の交換方法及びネットワーク機器を提供する。
【課題を解決するための手段】
【０００５】
第１態様に係るビームフォーミング情報の交換方法であって、第１ネットワーク機器が第２ネットワーク機器から送信される第１ビームフォーミング情報を受信し、前記第１ネットワーク機器が端末の現在位置するサービングセルに対応するネットワーク機器であり、前記第２ネットワーク機器が前記第１ネットワーク機器に隣接するネットワーク機器であり、前記第１ビームフォーミング情報が前記第２ネットワーク機器のビーム測定関連情報であることと、前記第１ネットワーク機器が前記第１ビームフォーミング情報に基づいて前記端末を設定することと、を含む。
【０００６】
第１態様のビームフォーミング情報の交換方法では、現在サービングセルのネットワーク機器とそれに隣接するネットワーク機器とがビームフォーミング情報を交換し、端末が移動した場合、現在サービング中のネットワーク機器は隣接するネットワーク機器のビーム測定関連情報に基づいて端末を予め設定することができ、ハンドオーバー効率を向上させることができる。
【０００７】
第１態様を参照して、第１態様の可能な実現方式では、前記第１ビームフォーミング情報は第１測定設定情報を含み、前記第１ネットワーク機器が前記第１ビームフォーミング情報に基づいて前記端末を設定することは、前記第１ネットワーク機器が前記第１測定設定情報に基づいて、ビーム測定を行うように前記端末を設定することを含む。
【０００８】
第１態様又は上記いずれか１つの可能な実現方式を参照して、第１態様の可能な実現方式では、前記方法は、更に、前記第１ネットワーク機器が前記第２ネットワーク機器に前記第１測定設定情報を要求するためのパラメータ要求情報を前記第２ネットワーク機器に送信することを含む。
【０００９】
第１態様又は上記いずれか１つの可能な実現方式を参照して、第１態様の可能な実現方式では、前記第１測定設定情報はビームの識別子、ビームの属するビーム群の識別子、ビームに対応するセルの識別子、ビームに対応するアクセスポイントの識別子、ビームに対応する基地局の識別子、測定頻度、測定周期、測定時間、測定モード、ビームフォーミングリソース割り当てパラメータ及びビームに対応する基準信号情報のうちの少なくとも１つを含む。
【００１０】
第１態様又は上記いずれか１つの可能な実現方式を参照して、第１態様の可能な実現方式では、前記第１測定設定情報がネットワーク機器設定シグナリング又はハンドオーバー設定シグナリングにベアリングされる。
【００１１】
第１態様又は上記いずれか１つの可能な実現方式を参照して、第１態様の可能な実現方式では、前記ネットワーク機器設定シグナリングがネットワーク機器のインターフェース生成シグナリング又はネットワーク機器の設定更新シグナリングである。
【００１２】
第１態様又は上記いずれか１つの可能な実現方式を参照して、第１態様の可能な実現方式では、前記第１ビームフォーミング情報は第１測定結果を含み、前記第１ネットワーク機器が前記第１ビームフォーミング情報に基づいて前記端末を設定することは、前記第１ネットワーク機器が前記第１測定結果に基づいて前記端末のためにセルをハンドオーバーすることを含む。
【００１３】
第１態様又は上記いずれか１つの可能な実現方式を参照して、第１態様の可能な実現方式では、前記方法は、更に、前記第１ネットワーク機器が前記端末の前記第２測定設定情報に基づいてビームにおいてアップリンクテスト信号を送信することを示すための第２測定設定情報を前記第２ネットワーク機器及び前記端末に送信することと、前記第１ネットワーク機器が前記アップリンクテスト信号に基づいてビーム測定を行って、第２測定結果を取得することと、を含み、前記第１ネットワーク機器が前記第１測定結果に基づいて前記端末のためにセルをハンドオーバーすることは、前記第１ネットワーク機器が前記第１測定結果及び前記第２測定結果に基づいて前記端末のためにセルをハンドオーバーすることを含む。
【００１４】
第１態様又は上記いずれか１つの可能な実現方式を参照して、第１態様の可能な実現方式では、前記方法は、更に、前記第１ネットワーク機器が測定設定提案情報を前記第２ネットワーク機器に送信し、前記測定設定提案情報が、ビームにおいてアップリンクテスト信号を測定するために使用される測定設定情報に対する前記第２ネットワーク機器との意見交換のために用いられることと、前記第１ネットワーク機器が前記第２ネットワーク機器から送信される前記測定設定提案情報のフィードバック情報を受信することと、を含む。
【００１５】
第１態様又は上記いずれか１つの可能な実現方式を参照して、第１態様の可能な実現方式では、前記第１測定結果がハンドオーバー設定シグナリングにベアリングされる。
【００１６】
第１態様又は上記いずれか１つの可能な実現方式を参照して、第１態様の可能な実現方式では、前記ハンドオーバー設定シグナリングがハンドオーバー要求シグナリング又はハンドオーバー確認シグナリングである。
【００１７】
第１態様又は上記いずれか１つの可能な実現方式を参照して、第１態様の可能な実現方式では、前記方法は、更に、前記第１ネットワーク機器が前記第１ネットワーク機器のビーム測定関連情報である第２ビームフォーミング情報を第３ネットワーク機器に送信することを含む。
【００１８】
第２態様に係るネットワーク機器であって、前記ネットワーク機器が第１ネットワーク機器であり、第２ネットワーク機器から送信される第１ビームフォーミング情報を受信することに用いられ、前記第１ネットワーク機器が端末の現在位置するサービングセルに対応するネットワーク機器であり、前記第２ネットワーク機器が前記第１ネットワーク機器に隣接するネットワーク機器であり、前記第１ビームフォーミング情報が前記第２ネットワーク機器のビーム測定関連情報である受信モジュールと、前記受信モジュールの受信した前記第１ビームフォーミング情報に基づいて前記端末を設定するための処理モジュールと、を含む。
【００１９】
第２態様を参照して、第２態様の可能な実現方式では、前記第１ビームフォーミング情報は第１測定設定情報を含み、前記処理モジュールは、具体的に、前記第１測定設定情報に基づいてビーム測定を行うように前記端末を設定することに用いられる。
【００２０】
第２態様又は上記いずれか１つの可能な実現方式を参照して、第２態様の可能な実現方式では、前記ネットワーク機器は、更に、前記第２ネットワーク機器に前記第１測定設定情報を要求するためのパラメータ要求情報を前記第２ネットワーク機器に送信するための送信モジュールを含む。
【００２１】
第２態様又は上記いずれか１つの可能な実現方式を参照して、第２態様の可能な実現方式では、前記第１測定設定情報はビームの識別子、ビームの属するビーム群の識別子、ビームに対応するセルの識別子、ビームに対応するアクセスポイントの識別子、ビームに対応する基地局の識別子、測定頻度、測定周期、測定時間、測定モード、ビームフォーミングリソース割り当てパラメータ及びビームに対応する基準信号情報のうちの少なくとも１つを含む。
【００２２】
第２態様又は上記いずれか１つの可能な実現方式を参照して、第２態様の可能な実現方式では、前記第１測定設定情報がネットワーク機器設定シグナリング又はハンドオーバー設定シグナリングにベアリングされる。
【００２３】
第２態様又は上記いずれか１つの可能な実現方式を参照して、第２態様の可能な実現方式では、前記ネットワーク機器設定シグナリングがネットワーク機器のインターフェース生成シグナリング又はネットワーク機器の設定更新シグナリングである。
【００２４】
第２態様又は上記いずれか１つの可能な実現方式を参照して、第２態様の可能な実現方式では、前記第１ビームフォーミング情報は第１測定結果を含み、前記処理モジュールは、具体的に、前記第１測定結果に基づいて前記端末のためにセルをハンドオーバーすることに用いられる。
【００２５】
第２態様又は上記いずれか１つの可能な実現方式を参照して、第２態様の可能な実現方式では、前記ネットワーク機器は、更に、前記端末の前記第２測定設定情報に基づいてビームにおいてアップリンクテスト信号を送信することを示すための第２測定設定情報を前記第２ネットワーク機器及び前記端末に送信するための送信モジュールを含み、前記処理モジュールは、更に、前記アップリンクテスト信号に基づいてビーム測定を行って、第２測定結果を取得することに用いられ、前記処理モジュールが前記第１測定結果に基づいて前記端末のためにセルをハンドオーバーすることは、前記第１測定結果及び前記第２測定結果に基づいて前記端末のためにセルをハンドオーバーすることを含む。
【００２６】
第２態様又は上記いずれか１つの可能な実現方式を参照して、第２態様の可能な実現方式では、前記ネットワーク機器は、更に、測定設定提案情報を前記第２ネットワーク機器に送信するための送信モジュールを含み、前記測定設定提案情報が、ビームにおいてアップリンクテスト信号を測定するために使用される測定設定情報に対する前記第２ネットワーク機器との意見交換のために用いられ、前記受信モジュールは、更に、前記第２ネットワーク機器から送信される前記測定設定提案情報のフィードバック情報を受信することに用いられる。
【００２７】
第２態様又は上記いずれか１つの可能な実現方式を参照して、第２態様の可能な実現方式では、前記第１測定結果がハンドオーバー設定シグナリングにベアリングされる。
【００２８】
第２態様又は上記いずれか１つの可能な実現方式を参照して、第２態様の可能な実現方式では、前記ハンドオーバー設定シグナリングがハンドオーバー要求シグナリング又はハンドオーバー確認シグナリングである。
【００２９】
第２態様又は上記いずれか１つの可能な実現方式を参照して、第２態様の可能な実現方式では、前記ネットワーク機器は、更に、前記第１ネットワーク機器のビーム測定関連情報である第２ビームフォーミング情報を第３ネットワーク機器に送信するための送信モジュールを含む。
【００３０】
第３態様に係るネットワーク機器であって、プロセッサ、送受信機及びメモリを備え、上記態様における端末の対応機能を実現することに用いられる。各デバイスの機能はハードウェアで実現されてもよいし、ハードウェアが対応するソフトウェアを実行することにより実現されてもよい。
【００３１】
第４態様に係るコンピュータ可読記憶媒体であって、前記コンピュータ可読記憶媒体はビーム測定方法のプログラムコードを記憶することに用いられ、前記プログラムコードは第１態様における方法の命令を実行することに用いられる。
【図面の簡単な説明】
【００３２】
【図１】本発明の実施例のビーム測定方法の応用シーンの模式図である。
【図２】本発明の実施例のビーム測定方法の他の応用シーンの模式図である。
【図３】本発明の一実施例のビームフォーミング情報の交換方法の模式的なフローチャートである。
【図４】本発明の一実施例のネットワーク機器の模式的なブロック図である。
【図５】本発明の他の実施例のネットワーク機器の模式的なブロック図である。
【発明を実施するための形態】
【００３３】
本発明の実施例の技術案をより明確に説明するために、以下に実施例又は従来技術の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００３４】
以下、本発明の実施例の図面を参照しながら、本発明の実施例の技術案を明確且つ完全に説明し、無論、説明される実施例は本発明の実施例の一部であり、実施例のすべてではない。本発明の実施例に基づき、当業者が進歩性のある労働を必要とせずに得られる他の実施例は、いずれも本発明の保護範囲に属する。
【００３５】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ロングタームエボリューション（ＬＴＥ：Ｌｏｎｇ  Ｔｅｒｍ  Ｅｖｏｌｕｔｉｏｎ）システム、無線ローカルエリアネットワーク（ＷＬＡＮ：Ｗｉｒｅｌｅｓｓ  Ｌｏｃａｌ  Ａｒｅａ  Ｎｅｔｗｏｒｋｓ）システム、公衆陸上移動網（ＰＬＭＮ：Ｐｕｂｌｉｃ  Ｌａｎｄ  Ｍｏｂｉｌｅ  Ｎｅｔｗｏｒｋ）システム及び５Ｇ新無線（ＮＲ：Ｎｅｗ  Ｒａｄｉｏ）システム等に適用されてもよいと理解すべきである。
【００３６】
更に、端末（Ｔｅｒｍｉｎａｌ）は端末装置又はユーザー装置（ＵＥ：Ｕｓｅｒ  Ｅｑｕｉｐｍｅｎｔ）と称されてもよく、更にモバイル端末（Ｍｏｂｉｌｅ  Ｔｅｒｍｉｎａｌ）、携帯機器等と称されてもよく、無線アクセスネットワーク（例えば、ＲＡＮ：Ｒａｄｉｏ  Ａｃｃｅｓｓ  Ｎｅｔｗｏｒｋ）経由で１つ又は複数のコアネットワークと通信することができ、ユーザー装置はモバイル端末、例えば携帯電話（「セルラー式」電話と称されてもよい）及びモバイル端末機能を有するコンピュータ、例えば、携帯型、ポケットサイズ、ポータブル式、コンピュータが内蔵された又は車載のモバイルデバイスであってもよく、それらは無線アクセスネットワークと言語及び／又はデータを交換すると理解すべきである。
【００３７】
更に、ネットワーク機器は端末と通信するための装置であってもよく、ネットワーク機器はＷＬＡＮシステムにおけるアクセスポイント（ＡＰ：Ａｃｃｅｓｓ  Ｐｏｉｎｔ）、ＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：Ｎｏｄｅ  Ｂ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載装置、ウェアラブルデバイス及び将来の５Ｇネットワークシステムにおけるネットワーク機器又は将来発展するＰＬＭＮシステムにおけるネットワーク機器等であってもよいと理解すべきである。
【００３８】
なお、本発明の実施例に関わるセルは、従来のセルラーネットワークにおけるセルの概念であってもよいし、アクセスポイント、伝送ポイント又は基地局に基づく概念であってもよく、本発明の実施例は制限しない。
【００３９】
理解しやすくするために、まず本発明の実施例のビーム測定方法の応用シーンを説明する。
【００４０】
図１は本発明の実施例のビーム測定方法の応用シーンの模式図である。図１に示す応用シーンによれば、１つのセルには制御チャネルはシグナリングを伝送するためのビーム（図１に図示せず）が１つあってもよく、データチャネルはデータを伝送するためのビーム（図１におけるビーム１及びビーム２参照）が複数あってもよく、つまり、該セル内には制御チャネルがシグナリングを伝送するための１つの「広幅ビーム」でセル全体をカバレッジし、データチャネルがシグナリングを伝送するための複数の「狭幅ビーム」でセル全体をカバレッジしてもよい。
【００４１】
図２は本発明の実施例のビーム測定方法の他の応用シーンの模式図である。図２に示す応用シーンによれば、１つのセルには制御チャネルが制御シグナリングを伝送するための「狭幅ビーム」（図２に示されるビーム１及びビーム２を参照）が複数あってもよく、該セルには更にデータチャネルがデータを伝送するための「狭幅ビーム」（図２に示されるビーム３及びビーム４を参照）が複数あってもよい。端末１はビーム２によってネットワーク機器と制御シグナリングを交換することができ、端末１はビーム３によってネットワーク機器とデータを伝送することができ、端末２はビーム１によってネットワーク機器と制御シグナリングを交換することができ、端末２はビーム４によってネットワーク機器とデータを伝送することができる。つまり、端末は制御チャネルが制御シグナリングを伝送するための「狭幅ビーム」によってネットワーク機器とシグナリングを交換することができる。該端末は更にデータチャネルがデータを伝送するための「狭幅ビーム」によってネットワーク機器とデータを伝送することができる。端末とネットワーク機器との間の、制御チャネルが制御シグナリングを伝送するためのビームは端末とネットワーク機器との間の、データチャネルがデータを伝送するためのビームと同じであってもよいし、異なってもよく、図２には、端末とネットワーク機器との間の、制御チャネルが制御シグナリングを伝送するためのビームは端末とネットワーク機器との間の、データチャネルがデータを伝送するためのビームと異なる場合のみを例として説明すると理解すべきである。
【００４２】
ただし、「広幅ビーム」に対する「狭幅ビーム」のより高いフォーミング利得を利用して、端末とネットワーク機器との信号伝送時の信号品質及び／又は信号強度を向上させることができる。
【００４３】
本発明の各実施例の端末は、接続状態にある端末であってもよく、つまり、端末とネットワーク側機器とが非アクセス層（ＮＡＳ：Ｎｏｎ−ａｃｃｅｓｓ  ｓｔｒａｔｕｍ）又はアクセス層（ＡＳ：Ａｃｃｅｓｓ  Ｓｔｒａｔｕｍ）シグナリング接続を確立し、更にアイドル状態にある端末であってもよく、つまり、端末とネットワーク側機器とがＮＡＳ又はＡＳシグナリング接続を確立しておらず、本発明の実施例は制限しないと理解すべきである。
【００４４】
図３は本発明の一実施例のビームフォーミング情報の交換方法３００の模式的なフローチャートであり、該方法３００が第１ネットワーク機器で実行される。該方法３００は、
第１ネットワーク機器が第２ネットワーク機器から送信される第１ビームフォーミング情報を受信し、該第１ネットワーク機器が端末の現在位置するサービングセルに対応するネットワーク機器であり、該第２ネットワーク機器が該第１ネットワーク機器に隣接するネットワーク機器であり、該第１ビームフォーミング情報が該第２ネットワーク機器のビーム測定関連情報であるＳ３１０と、
該第１ネットワーク機器が該第１ビームフォーミング情報に基づいて該端末を設定するＳ３２０と、を含んでもよい。
【００４５】
本発明の実施例のビームフォーミング情報の交換方法において、現在サービングセルのネットワーク機器とそれに隣接するネットワーク機器とがビームフォーミング情報を交換し、端末が移動した場合、現在サービング中のネットワーク機器は隣接するネットワーク機器のビーム測定関連情報に基づいて端末を予め設定することができ、ハンドオーバー効率を向上させることができる。
【００４６】
本発明の実施例において、第１ビームフォーミング情報は第１測定設定情報を含んでもよいし、第１測定結果を含んでもよい。端末を設定するのは、ビームを改めて選択するように端末を設定する（つまり、再選択基準を設定する）こと、ビーム測定を行うように端末を設定すること、又は端末がセルハンドオーバーを行うようにトリガーすること、を含んでもよく、本発明の実施例は以上の処理に限らず、更にビームフォーミングに関連する他の処理を含んでもよい。
【００４７】
好ましくは、一実施例として、該第１ビームフォーミング情報は第１測定設定情報を含む場合、該第１ネットワーク機器が該第１ビームフォーミング情報に基づいて該端末を設定するＳ３２０は、該第１ネットワーク機器が該第１測定設定情報に基づいて、ビーム測定を行うように該端末を設定することを含んでもよい。
【００４８】
具体的に、端末が移動し、第１ネットワーク機器のセル（サービングセル）から第２ネットワーク機器のセル（サービングセルに隣接するセル）まで移動する可能性がある場合、異なるネットワーク機器が異なる測定設定情報（ビームフォーミングパラメータと称されてもよい）を使用する可能性があるため、第１ネットワーク機器と第２ネットワーク機器とは測定設定情報を予め交換することができる。特に、第２ネットワーク機器はそのビームの第１測定設定情報を第１ネットワーク機器、すなわち端末の現在位置するサービングセルに対応するネットワーク機器に送信することができる。第１ネットワーク機器は第１測定設定情報に基づいて端末が第２ネットワーク機器に対応するビームを測定するように設定する。
【００４９】
本発明の実施例において、第２ネットワーク機器が第１ネットワーク機器に第１測定設定情報を送信することは、周期的に送信してもよいし、第２ネットワーク機器の要求に応じて送信してもよい。それに対応して、方法３００は、更に、該第１ネットワーク機器が該第２ネットワーク機器に該第１測定設定情報を要求するためのパラメータ要求情報を該第２ネットワーク機器に送信することを含んでもよい。
【００５０】
具体的に、第１ネットワーク機器は端末の現在位置、信号強度、信号品質等を検出することにより、端末が移動するため隣接するセルにハンドオーバーするかどうかを判断することができる。第１ネットワーク機器は端末が隣接するセルにハンドオーバーする可能性があると決定する場合、隣接する第２ネットワーク機器のビーム関連情報を予め把握するために、第１ネットワーク機器が第２ネットワーク機器にパラメータ要求情報を送信することにより、該第２ネットワーク機器に第１測定設定情報を要求し、それにより後続の端末の対応する再選択又はハンドオーバー設定のために準備をする。
【００５１】
具体的に、該第１測定設定情報はビームの識別子、ビームの属するビーム群の識別子、ビームに対応するセルの識別子、ビームに対応するアクセスポイントの識別子、ビームに対応する基地局の識別子、測定頻度、測定周期、測定時間、測定モード、ビームフォーミングリソース割り当てパラメータ及びビームに対応する基準信号情報のうちの少なくとも１つを含んでもよい。
【００５２】
ビームに対応する基準信号情報はビームに対応する非端末固有参照信号（ｎｏｎ−ＵＥ  ｓｐｅｃｉｆｉｃ  ｒｅｆｅｒｅｎｃｅ  ｓｉｇｎａｌ）及び／又はビームに対応する端末固有参照信号（ＵＥ  ｓｐｅｃｉｆｉｃ  ｒｅｆｅｒｅｎｃｅ  ｓｉｇｎａｌ）を含んでもよい。
【００５３】
第１測定設定情報のうちの情報はビーム自体に関連するもの、例えばビームの識別子、ビーム群の識別子、ビームフォーミングリソース割り当てパラメータ（例えば、送信ビームの時間周波数リソース又はアンテナポート等）、ビームに対応するｎｏｎ−ＵＥ  ｓｐｅｃｉｆｉｃ  ｒｅｆｅｒｅｎｃｅ  ｓｉｇｎａｌ及びビームに対応するＵＥ  ｓｐｅｃｉｆｉｃ  ｒｅｆｅｒｅｎｃｅ  ｓｉｇｎａｌ等であってもよいし、ビーム自体に関連しないもの、例えば、セルの識別子、アクセスポイントの識別子、基地局の識別子、測定頻度、測定周期、測定時間及び測定モード等であってもよい。
【００５４】
ビーム、ビーム群、セル、アクセスポイント及び基地局は異なる側面のものであると理解すべきである。例えば、第１測定設定情報は１つ又は複数のビームに適用するパラメータであってもよい場合、第１測定設定情報のうちの識別子は該１つ又は複数のビームの識別子である。更に、例えば、第１測定設定情報は１つ又は複数のセルにおけるすべてのビームに適用するパラメータであってもよい場合、第１測定設定情報のうちの識別子は該１つ又は複数のセルの識別子である。同様に、第１測定設定情報はビーム群（例えば、１つのセルにおけるビームが１つ又は複数のビーム群にグループ分けされてもよい）、アクセスポイント又は基地局側面に対するものであってもよく、それに対応して、第１測定設定情報のうちの識別子は１つ又は複数のビーム群の識別子、１つ又は複数のアクセスポイントの識別子又は１つ又は複数の基地局の識別子であり、本発明の実施例は制限しない。
【００５５】
上記挙げた第１測定設定情報のうちの情報はすべて必須のものではなく、その一部の内容はプロトコルに規定されてもよく、又は他のシグナリングによって交換されてもよい。例えば、第１測定設定情報が複数のビームに適用されてもよい場合、測定時間がビームの走査持続時間に関連するため、１つのシステムにおける各ビームの測定時間が同じである可能性があり、従って測定時間をプロトコルに規定し又はデフォルト値に設定することができ、このため、第１測定設定情報に測定時間を含まなくてもよい。更に、例えば、測定モードは測定時間及び／又は測定周期を含んでもよい場合、第１測定設定情報に測定時間及び／又は測定周期を含まなくてよい。更に、例えば、測定頻度と測定周期とが一定の数学的関係を有する場合、第１測定設定情報に測定頻度及び測定周期のうちの１つのみを含んでもよい。第１測定設定情報のうちの情報についての詳細な説明は省略する。
【００５６】
第１測定設定情報のうちの情報は情報自体であってもよいし、情報内容を示すことができるインデックス又は番号等であってもよく、本発明の実施例は制限しないと理解すべきである。
【００５７】
好ましくは、該第１測定設定情報がネットワーク機器設定シグナリング又はハンドオーバー設定シグナリングにベアリングしてもよい。ネットワーク機器設定シグナリングはネットワーク機器のインターフェース生成シグナリング又はネットワーク機器の設定更新シグナリングであってもよい。ネットワーク機器のインターフェース生成シグナリングは例えばＬＴＥシステムにおけるＸ２インターフェース生成シグナリングであってもよい。ハンドオーバー設定シグナリングは例えばＬＴＥシステムにおけるハンドオーバー要求シグナリング又はハンドオーバー確認シグナリングであってもよい。第１測定設定情報が従来のシステムの他のシグナリングにベアリングしてもよいし、将来のシステムに定義したばかりの交換シグナリングにベアリングしてもよく、本発明の実施例は制限しないと理解すべきである。
【００５８】
好ましくは、他の実施例として、該第１ビームフォーミング情報は第１測定結果を含み、該第１ネットワーク機器が該第１ビームフォーミング情報に基づいて該端末を設定するＳ３２０は、該第１ネットワーク機器が該第１測定結果に基づいて該端末のためにセルをハンドオーバーすることを含んでもよい。
【００５９】
具体的に、端末が移動し、第１ネットワーク機器のセル（サービングセル）から第２ネットワーク機器のセル（サービングセルに隣接するセル）まで移動する可能性がある場合、第１ネットワーク機器と第２ネットワーク機器とはビームの測定結果を予め交換することができる。特に、第２ネットワーク機器はそのビームの測定結果を第１ネットワーク機器、すなわち端末の現在位置するサービングセルに対応するネットワーク機器に送信することができる。第１ネットワーク機器は測定結果に基づいて端末を第２ネットワーク機器のビーム、ビーム群又はセルにハンドオーバーするかどうかを決定する。
【００６０】
ビーム測定を開始して第１測定結果を取得する過程は以下の通りであってもよい。つまり、第１ネットワーク機器は端末がビームにおいてアップリンクテスト信号を送信することを示すために使用する第２測定設定情報を第２ネットワーク機器に送信し、又は第１ネットワーク機器と第２ネットワーク機器とがビームにおいてアップリンクテスト信号に使用される第２測定設定情報を調整する。その後、第１ネットワーク機器は第１ネットワーク機器のサービング中の端末が第２測定設定情報に基づいてビームにおいてアップリンクテスト信号を送信するように設定し、第１ネットワーク機器と第２ネットワーク機器とがビーム測定を同時に行って、第２ネットワーク機器によって対応する第１測定結果を第１ネットワーク機器に報告し、第１ネットワーク機器によって第１測定結果及び／又は他の測定結果（例えばダウンリンクビーム測定結果）に基づいてタスクハンドオーバーを行う。
【００６１】
それに対応して、一つの技術案では、方法３００は、更に、該第１ネットワーク機器が該端末の該第２測定設定情報に基づいてビームにおいてアップリンクテスト信号を送信することを示すための第２測定設定情報を該第２ネットワーク機器及び該端末に送信することと、該第１ネットワーク機器が該アップリンクテスト信号に基づいてビーム測定を行って、第２測定結果を取得することと、を含んでもよく、該第１ネットワーク機器が該第１測定結果に基づいて該端末のためにセルをハンドオーバーすることは、該第１ネットワーク機器が該第１測定結果及び該第２測定結果に基づいて該端末のためにセルをハンドオーバーすることを含む。該案では、第１ネットワーク機器は第２測定設定情報を直接決定して、第２ネットワーク機器が該第２測定設定情報を使用してビーム測定を行うように通知する。
【００６２】
他の案では、第１ネットワーク機器と第２ネットワーク機器とはビームにおけるアップリンクテスト信号の測定設定について意見交換することができる。具体的な意見交換過程は以下の通りであってもよい。つまり、該第１ネットワーク機器が測定設定提案情報を該第２ネットワーク機器に送信し、該測定設定提案情報が、ビームにおいてアップリンクテスト信号を測定するために使用される測定設定情報に対する前記第２ネットワーク機器との意見交換のために用いられ、該第１ネットワーク機器が該第２ネットワーク機器から送信される該測定設定提案情報のフィードバック情報を受信する。第１ネットワーク機器と第２ネットワーク機器とが意見交換した測定設定に基づいてそれぞれビームにおけるアップリンクテスト信号を測定して、第１測定結果及び第２測定結果を取得する。
【００６３】
本発明の実施例の第１測定結果がハンドオーバー設定シグナリングにベアリングしてもよいと理解すべきである。ハンドオーバー設定シグナリングはハンドオーバー要求シグナリング又はハンドオーバー確認シグナリングであってもよい。
【００６４】
好ましくは、一実施例として、該方法３００は、更に、該第１ネットワーク機器が該第１ネットワーク機器のビーム測定関連情報である第２ビームフォーミング情報を第３ネットワーク機器に送信することを含んでもよい。
【００６５】
具体的に、他の端末に対して、第１ネットワーク機器は他の端末の現在サービングセルのネットワーク機器ではなく（例えば、他の端末の現在サービングセルのネットワーク機器が第３ネットワーク機器である）、他の端末の現在サービングセルに隣接するセルのネットワーク機器である可能性がある。他の端末は第３ネットワーク機器から第１ネットワーク機器へ移動している可能性がある。この時、第１ネットワーク機器が第３ネットワーク機器に隣接するネットワーク機器として、そのビーム測定関連情報、すなわち第２ビームフォーミング情報を第３ネットワーク機器に送信し、それにより第３ネットワーク機器が第２ビームフォーミング情報に基づいて該他の端末を設定する。
【００６６】
以上は図１〜図３を参照しながら本発明の実施例のビームフォーミング情報の交換方法を詳しく説明したが、以下に図４及び図５を参照しながら本発明の実施例のネットワーク機器を説明する。
【００６７】
図４は本発明の実施例のネットワーク機器の模式的なブロック図である。ネットワーク機器４００が本明細書における第１ネットワーク機器である。図４に示すネットワーク機器４００は受信モジュール４１０及び処理モジュール４２０を含む。
【００６８】
受信モジュール４１０は、第２ネットワーク機器から送信される第１ビームフォーミング情報を受信することに用いられ、前記第１ネットワーク機器が端末の現在位置するサービングセルに対応するネットワーク機器であり、前記第２ネットワーク機器が前記第１ネットワーク機器に隣接するネットワーク機器であり、前記第１ビームフォーミング情報が前記第２ネットワーク機器のビーム測定関連情報である。
【００６９】
処理モジュール４２０は、前記受信モジュール４１０の受信した前記第１ビームフォーミング情報に基づいて前記端末を設定することに用いられる。
【００７０】
本発明の実施例のネットワーク機器、すなわち現在サービングセルのネットワーク機器とそれに隣接するネットワーク機器とがビームフォーミング情報を交換し、端末が移動した場合、現在サービング中のネットワーク機器は隣接するネットワーク機器のビーム測定関連情報に基づいて端末を予め設定することができ、ハンドオーバー効率を向上させることができる。
【００７１】
好ましくは、一実施例として、前記第１ビームフォーミング情報は第１測定設定情報を含んでもよく、前記処理モジュール４２０は、具体的に、前記第１測定設定情報に基づいてビーム測定を行うように前記端末を設定することに用いられてもよい。
【００７２】
好ましくは、一実施例として、前記ネットワーク機器４００は、更に、前記第２ネットワーク機器に前記第１測定設定情報を要求するためのパラメータ要求情報を前記第２ネットワーク機器に送信するための送信モジュール４３０を含んでもよい。
【００７３】
好ましくは、一実施例として、前記第１測定設定情報はビームの識別子、ビームの属するビーム群の識別子、ビームに対応するセルの識別子、ビームに対応するアクセスポイントの識別子、ビームに対応する基地局の識別子、測定頻度、測定周期、測定時間、測定モード、ビームフォーミングリソース割り当てパラメータ及びビームに対応する基準信号情報のうちの少なくとも１つを含んでもよい。
【００７４】
好ましくは、一実施例として、前記第１測定設定情報がネットワーク機器設定シグナリング又はハンドオーバー設定シグナリングにベアリングしてもよい。
【００７５】
好ましくは、一実施例として、前記ネットワーク機器設定シグナリングはネットワーク機器のインターフェース生成シグナリング又はネットワーク機器の設定更新シグナリングであってもよい。
【００７６】
好ましくは、一実施例として、前記第１ビームフォーミング情報は第１測定結果を含んでもよく、前記処理モジュール４２０は、具体的に、前記第１測定結果に基づいて前記端末のためにセルをハンドオーバーすることに用いられてもよい。
【００７７】
好ましくは、一実施例として、前記ネットワーク機器は、更に、前記端末の前記第２測定設定情報に基づいてビームにおいてアップリンクテスト信号を送信することを示すための第２測定設定情報を前記第２ネットワーク機器及び前記端末に送信するための送信モジュール４３０を含んでもよく、前記処理モジュール４２０は、更に、前記アップリンクテスト信号に基づいてビーム測定を行って、第２測定結果を取得することに用いられてもよく、前記処理モジュール４２０が前記第１測定結果に基づいて前記端末のためにセルをハンドオーバーすることは、前記第１測定結果及び前記第２測定結果に基づいて前記端末のためにセルをハンドオーバーすることを含んでもよい。
【００７８】
好ましくは、一実施例として、前記ネットワーク機器は、更に、測定設定提案情報を前記第２ネットワーク機器に送信するための送信モジュール４３０を含み、前記測定設定提案情報が、ビームにおいてアップリンクテスト信号を測定するために使用される測定設定情報に対する前記第２ネットワーク機器との意見交換のために用いられ、前記受信モジュール４１０は、更に、前記第２ネットワーク機器から送信される前記測定設定提案情報のフィードバック情報を受信することに用いられる。
【００７９】
好ましくは、一実施例として、前記第１測定結果がハンドオーバー設定シグナリングにベアリングしてもよい。
【００８０】
好ましくは、一実施例として、前記ハンドオーバー設定シグナリングはハンドオーバー要求シグナリング又はハンドオーバー確認シグナリングであってもよい。
【００８１】
好ましくは、一実施例として、前記ネットワーク機器は、更に、前記第１ネットワーク機器のビーム測定関連情報である第２ビームフォーミング情報を第３ネットワーク機器に送信するための送信モジュール４３０を含んでもよい。
【００８２】
ただし、本発明の実施例において、受信モジュール４１０及び送信モジュール４３０は送受信機により実現されてもよく、処理モジュール４２０はプロセッサにより実現されてもよい。図５に示すように、ネットワーク機器５００はプロセッサ５１０、送受信機５２０及びメモリ５３０を備えてもよい。メモリ５３０はプロセッサ５１０の実行するコード等を記憶することに用いられてもよい。
【００８３】
ネットワーク機器５００における各コンポーネントがバスシステム５４０によって一体に結合され、バスシステム５４０はデータバスを含むだけでなく、更に電源バス、制御バス及び状態信号バスを含む。
【００８４】
図５に示すネットワーク機器５００又は図４に示すネットワーク機器４００は上記図１〜図３における実施例の実現する各過程を実現することができ、重複を避けるため、詳細な説明は省略する。
【００８５】
ただし、本発明の上記方法実施例はプロセッサに適用され、又はプロセッサで実現されてもよい。プロセッサは信号処理機能を有する集積回路チップである可能性がある。実現過程において、上記方法実施例の各ステップはプロセッサにおけるハードウェアの集積論理回路又はソフトウェア形式の命令で完了してもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本発明の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。本発明の実施例に開示される方法のステップはハードウェアの復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと合わせて上記方法のステップを完了する。
【００８６】
本発明の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含んでもよいが、それらに限らないことを目的とする。
【００８７】
明細書全体に言及される「１つの実施例」又は「一実施例」は実施例に関連する特定の特徴、構造又は特性が本発明の少なくとも１つの実施例に含まれることを意味すると理解すべきである。従って、明細書全体の各箇所に出現した「１つの実施例において」又は「一実施例において」は必ず同じ実施例を指すとは限らない。なお、これらの特定の特徴、構造又は特性は任意の適切な方式で１つ又は複数の実施例に結合されてもよい。
【００８８】
本発明の様々な実施例において、上記各過程の番号の順位は実行順序の前後を意味せず、各過程の実行順序はその機能及び内部論理によって決定されるべきであり、本発明の実施例の実施過程を制限するためのものではないと理解すべきである。
【００８９】
本発明の実施例において、「Ａに対応するＢ」はＢがＡに関連し、Ａに基づいてＢを決定することができることを示すと理解すべきである。ところが、更に、Ａに基づいてＢを決定することとはＡのみに基づいてＢを決定することができることを意味せず、更にＡ及び／又は他の情報に基づいてＢを決定することができることを意味すると理解すべきである。
【００９０】
本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよいと理解すべきである。また、本明細書における文字「／」は一般的に前後関連オブジェクトが「又は」関係であることを示す。
【００９１】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本発明の範囲を超えると見なされるべきではない。
【００９２】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【００９３】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００９４】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【００９５】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【００９６】
以上の説明は、本発明の具体的な実施形態であって、本発明の保護範囲を制限するためのものではなく、当業者が本発明に開示される技術的範囲内に容易に想到し得る変更や置換は、いずれも本発明の保護範囲内に含まれるべきである。従って、本発明の保護範囲は特許請求の範囲に準じるべきである。
【図１】
0006843971.tif 000002
【図２】
0006843971.tif 000003
【図３】
0006843971.tif 000004
【図４】
0006843971.tif 000005
【図５】
0006843971.tif 000006